(57)【要約】      （修正有）【課題】吸気の際のフェイスフィット性を高め、マスク本体の外周縁部からの空気の吸い込みを防止し、呼気の際の排出性を高め、マスクのフィルタの捕集性能を最大限に発揮させ尚且つ、長時間装着できるマスクを提供する。【解決手段】マスク１を鼻部及び口部を覆うように形成されたフィルタ部２と、フィルタ部２の外周縁部に沿って設けられた接顔部３と、フィルタ部２の外壁面に止着された取付紐４と、鼻部への押圧を和らげるパッド部材５と、鼻部の形状を保持するガイド部材と、で構成する。接顔部３をフィルタ部２の外周縁部より外側に配置することで、吸気時に接顔部３が顔面に当接するようにして大気中を浮遊する花粉、ウイルス等の侵入を防止する。【選択図】図１
0003158500.tif 000002
【実用新案登録請求の範囲】
【請求項１】
鼻部及び口部を覆うように略半球状に形成されたフィルタ部と、該フィルタ部の外周縁部に沿って設けられた接顔部と、該フィルタ部に止着された取付紐と、を備えて構成されるマスクであって、
該接顔部が、可撓性を有した部材で湾曲形状又は環状に形成され、湾曲方向又は周方向に沿った外側縁部が、該フィルタ部の外周縁部より外側に突出するように配設されたことを特徴とするマスク。
【請求項２】
該接顔部が、不織布又はエラストマーで形成され、該フィルタ部と接合されていることを特徴とする請求項１記載のマスク。
【請求項３】
該接顔部が、帯状に形成され、該フィルタ部の外周縁部の内壁面に接合され、短手方向の断面が該フィルタ部の外周縁部を挟む略Ｕ字状に形成されていることを特徴とする請求項１又は２記載のマスク。
【考案の詳細な説明】
【技術分野】
【０００１】
本考案は、鼻部及び口部を覆うマスクに関するものである。
【背景技術】
【０００２】
従来、簡易防塵マスクとして、特許文献１に記載されたものがあった。これによると、簡易防塵マスクは、マスク本体がフィルタ素材により略半球状に鼻部及び口部を覆うように成形されていた。そして、マスク本体の全外周縁部から内側方向に折返して延び、鼻翼部及び口部を包囲するように略環状に形成された接顔部材が設けられ、接顔部材は、外周縁部がマスク本体の外周縁部に接合され、所定厚の弾力性のある不織布に高吸水性繊維を混合して形成されていた。
【０００３】
また、フィルタ部にテープ等を装着して顔面に密着させるマスクもあった。
【先行技術文献】
【特許文献】
【０００４】
【特許文献１】特開２０００−２１７９４０号公報
【考案の概要】
【考案が解決しようとする課題】
【０００５】
しかし、上記に示す従来の簡易防塵マスクは、接顔部材がマスク本体の全外周縁部から内側方向に折返して延びて、顔面と当接している。吸気の際には、マスク内の気圧が低くなるため、接顔部材の顔面との当接が弱まり流入する空気を遮断することができない。したがって、フェイスフィット性が低くなりマスク本体の外周縁部からの空気の吸い込みが多く、フィルタの捕集性能が実際に出ていないという問題があった。また、呼気の際には、マスク内の気圧が高くなるとともに、マスク本体の内壁に沿って呼気が流れ、接顔部材が顔面に強く当接して、マスク本体の外周縁部からの呼気の流出が妨げられ、マスク本体のフィルタ素材を通してのみ呼気が流出することになるので、排出効率が悪いという問題があった。
【０００６】
また、フィルタ部にテープ等を装着して顔面に密着させる従来のマスクでは、排出効率が悪く、呼気によるフィルタ部の吸湿によって呼吸が苦しくなり長時間装着できないという問題があった。
【０００７】
本考案は、上記事情に鑑み、吸気の際のフェイスフィット性を高め、マスク本体の外周縁部からの空気の吸い込みを防止し、呼気の際の排出性を高め、マスクのフィルタの捕集性能を最大限に発揮させ尚且つ、長時間装着できるマスクを提供することを目的とする。
【課題を解決するための手段】
【０００８】
請求項１記載の考案のマスクでは、鼻部及び口部を覆うように略半球状に形成されたフィルタ部と、該フィルタ部の外周縁部に沿って設けられた接顔部と、該フィルタ部に止着された取付紐と、を備えて構成されるマスクであって、
該接顔部が、可撓性を有した部材で湾曲形状又は環状に形成され、湾曲方向又は周方向に沿った外側縁部が、該フィルタ部の外周縁部より外側に突出するように配設されたことを特徴とする。
【０００９】
請求項２記載の考案のマスクでは、該接顔部が、不織布又はエラストマーで形成され、該フィルタ部と接合されていることを特徴とする。
【００１０】
請求項３記載の考案のマスクでは、該接顔部が、帯状に形成され、該フィルタ部の外周縁部の内壁面に接合され、短手方向の断面が該フィルタ部の外周縁部を挟む略Ｕ字状に形成されていることを特徴とする。
【考案の効果】
【００１１】
請求項１記載の考案では、接顔部を可撓性を有した部材で湾曲形状又は環状に形成して、長手方向に沿った外側縁部を該フィルタ部の外周縁部より外側に突出するように配設することで、吸気時には、フィルタ部の内の気圧が外よりも低くなることにより、接顔部のフィルタ部の外周縁部より外側に突出した部分が顔面に密着するため、フェイスフィット性が高くなりマスク本体のフィルタ部の外周縁部からの空気の吸い込み防止することができる。そして、略全部の吸気がフィルタ部を介して行われるため大気中を浮遊する塵、ウイルス等をフィルタ部で捕集して、吸い込まないようにすることができる。また、呼気時には、フィルタ部の内の気圧が外よりも高くなるため、接顔部と顔面との当接が弱まって接顔部と顔面との隙間、すなわち、フィルタ部以外からも空気を排出することができ、呼気の際の排出性を高めることができる。また、フィルタ部の呼気による吸湿を防止することができる。よって、呼吸が苦しくならないため長時間の装着が可能となる。
【００１２】
請求項２記載の考案では、接顔部を、可撓性を有する不織布又はエラストマーで形成することで、接顔部を気圧の変化に即応可能にしてフェイスフィット性をさらに高め、より長時間の装着が可能となる。
【００１３】
請求項３記載の考案では、接顔部を帯状に形成して、フィルタ部の外周縁部の内壁面に接合して、短手方向の断面をフィルタ部の外周縁部を挟む略Ｕ字状に形成することで、マスク装着時に接顔部がフィルタ部の外周縁部と顔面との間に入ることになるため、マスクを装着し易くし、フェイスフィット性を高め、フィルタ部の呼気による吸湿防止効果を高め、長時間装着することができる。
【図面の簡単な説明】
【００１４】
【図１】本考案の第１の実施形態のマスクの斜視図である。
【図２】本考案の第１の実施形態のマスクの正面図である。
【図３】図２のＳ−Ｓ部位の端面図である。
【図４】図３における接顔部の部分拡大図である。
【図５】本考案の第１の実施形態のマスクのフィルタ部の断面拡大図である。
【図６】本考案の第１の実施形態のマスクの背面図である。
【図７】本考案の第１の実施形態のマスクの（ａ）吸気時の接顔部の状態図であり、（ｂ）呼気時の接顔部の状態図である。
【図８】本考案の第２の実施形態のマスクの斜視図である。
【考案を実施するための形態】
【００１５】
本考案のマスクの第１の実施形態について図面に基づいて説明する。
【００１６】
マスク１は、図１に示すとおり、鼻部及び口部を覆うように形成されたフィルタ部２と、フィルタ部２の外周縁部２１に沿って設けられた接顔部３と、フィルタ部２の外壁面に止着された取付紐４と、鼻部への押圧を和らげるパッド部材５と、図２に示す鼻部の形状を保持するガイド部材６と、を備えて構成されている。なお、マスク１では、顔面と接する側を後ろ側とし、その反対側を前側とする。
【００１７】
フィルタ部２は、図１、図３に示すように、鼻部及び口部を覆うように後ろ側が開口した略半球状に形成されている。フィルタ部２の素材は、ＰＥＴ（ポリエステル１００％）で１２０ｇ／平方メートルのニードルパンチ不織布と、ＰＰ（ポリプロピレン１００％）で３０ｇ／平方メートルのメルトブロー不織布が用いられている。
【００１８】
フィルタ部２は、図５に示すように、外側から第一層７がニードルパンチ不織布、第二層８がメルトブロー不織布、第三層９がメルトブロー不織布、第四層１０がニードルパンチ不織布を用いて形成されて、それぞれを熱溶着で接合して形成されている。
【００１９】
接顔部３は、図６に示すように、可撓性を有し、湾曲した帯状で略Ｃ字状に形成されたシリコーンゴムが用いられている。顔面との接顔性を高めるため、接顔部３の厚みは０．２ｍｍ〜０．６ｍｍに形成されている。顔面に装着し易くするため、接顔部３の短手方向の断面をフィルタ部２の外周縁部２１を挟むように略Ｕ字状に形成されている。図４に示すように、接顔部３は湾曲方向に沿った内側縁部３２で、フィルタ部２の外周縁部２１に沿ってフィルタ部２の内壁面に接着して接合されている。接顔部３の湾曲方向に沿った外側縁部３１は、フィルタ部２の外周縁部２１より外側に配置されている。
【００２０】
取付紐４は、図２に示すように、帯状に形成されたゴム紐で、頭部に掛けられるように両端部をフィルタ部２の外壁面に止着されている。
【００２１】
パッド部材５は、図１、図６に示すように、ウレタンで帯状に形成され、接顔部３が接合されていないフィルタ部２の上部の外周縁部２１付近の内壁面に止着されている。
【００２２】
ガイド部材６は、図２に示すように、金属製で鼻梁にフィットするように中央部を屈曲させた帯状に形成され、パッド部材５が止着されたフィルタ部２の外周縁部２１付近に対応する外壁面に止着されている。
【００２３】
本実施形態のマスク１では、接顔部３を可撓性を有し、湾曲した帯状で略Ｃ字状に形成して、長手方向に沿った外側縁部３１をフィルタ部２の外周縁部２１より外側に突出するように配設することで、図７（ａ）に示すように吸気時には、フィルタ部２の内の気圧が外よりも低くなることにより、接顔部３のフィルタ部２の外周縁部２１より外側に突出した部分が顔面に密着するため、フェイスフィット性が高くなりマスク１のフィルタ部２の外周縁部２１からの空気の吸い込みを防止することができる。そして、略全部の吸気がフィルタ部２を介して行われるため大気中を浮遊する塵、ウイルス等をフィルタ部２で捕集して、吸い込まないようにすることができる。また、図７（ｂ）に示すように呼気時には、フィルタ部２の内の気圧が外よりも高くなるため、接顔部３と顔面との当接が弱まって接顔部３と顔面との隙間、すなわち、フィルタ部２以外からも空気を排出することができ、呼気の際の排出性を高めることができる。また、フィルタ部２の呼気による吸湿を防止することができる。よって、呼吸が苦しくならないため長時間の装着が可能となる。
【００２４】
また、接顔部３を、弾性を有しシール性の高いシリコーンゴムで形成することで、気圧の変化に即応可能にしてフェイスフィット性を高めることができる。さらに、シリコーンゴムは、耐熱性と耐寒性を共有するので、熱帯地域や寒冷地域においてもフェイスフィット性を維持することができる。
【００２５】
表１に、接顔部３を、シリコーンゴムで形成した時の吸気時の、外気の侵入率の比較検査の結果を示す。ここで「外気の侵入率」とは、マスクフィッティングテスター（レーザー光散乱方式による粒子個数計測）を用いて、吸気時における顔面とマスクとの隙間から侵入したマスクの内側の室内粉じん粒子個数を計測し、マスクの外側の室内粉じん粒子個数で割って表したものをいう。シリコーンゴムを使用すると吸気時の外気の侵入率が平均で５．２４％となり、既存品を１として比較すると外気の侵入防止性能が７．９５倍向上していることがわかる。
【００２６】
また、接顔部３を湾曲した帯状に形成して、フィルタ部２の外周縁部２１の内壁面に接合して、短手方向の断面をフィルタ部２の外周縁部２１を挟む略Ｕ字状に形成することで、マスク装着時に接顔部３がフィルタ部２の外周縁部２１と顔面との間に入ることになるため、マスク１を装着し易くし、フェイスフィット性を高め、フィルタ部２の呼気による吸湿防止効果を高め、長時間装着することができる。
【００２７】
また、フィルタ部２を、積層した不織布にすることで、大気中を浮遊する塵、ウイルス等の捕集性能を高めることができる。
【００２８】
接顔部３には、シリコーンゴムを用いたが、弾性を有しシール性を有する他のエラストマー（合成ゴム、弾性プラスチック）を用いることができる。
【００２９】
また、接顔部３の他の変形例としては、可撓性を有して塵、ウイルス等を捕集できる全ての不織布を用いることができる。例えば、メルトブロー不織布を湾曲形状又は環状に形成された帯状に形成して、フィルタ部２の外周縁部２１を挟む略Ｕ字状に形成してフィルタ部２の外周縁部２１に沿ってフィルタ部２の内壁面に溶着して接合してもよい。接顔部３の厚みは、０．５〜０．８ｍｍが望ましい。
【００３０】
また、６０ｇ／平方メートルのパラレルスパンレース不織布を湾曲形状又は環状に形成された帯状に形成して、フィルタ部２の外周縁部２１を挟む略Ｕ字状に形成してフィルタ部２の外周縁部２１に沿ってフィルタ部２の内壁面に溶着して接合してもよい。
【００３１】
いずれのメルトブロー不織布、パラレルスパンレース不織布を用いた変形例でも、吸気の際、接顔部３が、顔面に当接してフェイスフィット性を高めるとともに、接顔部３を空気が通過して塵、ウイルス等を捕集することとなる。
【００３２】
また、接顔部３を、環状に形成した帯状にしてフィルタ部２の外周縁部２１全域に沿って接合させてもよい。
【００３３】
本考案のマスクの第２の実施形態について図面に基づいて説明する。第１の実施形態と共通の部材については、同じ符号を付し説明を省略する。図８に示すように、マスク１Ａは、四層構造であるフィルタ部２の内側に、メルトブロー不織布又はパラレルスパンレース不織布をもう一層追加して、熱溶着で接合してフィルタ部２Ａが形成されている。接顔部３Ａは、追加されたメルトブロー不織布又はパラレルスパンレース不織布と一体に形成され、フィルタ部２Ａの外周縁部２１Ａ全域に沿って配置されている。接顔部３Ａの周方向に沿った外側縁部３１Ａは、フィルタ部２Ａの外周縁部２１Ａより外側に配置されている。
【００３４】
本実施形態のマスク１Ａでは、接顔部３Ａをフィルタ部２Ａと一体に形成して、外側縁部３１Ａをフィルタ部２Ａの外周縁部２１Ａより外側に突出するように形成することで、図７（ａ）に参照するように吸気時には、フィルタ部２Ａの内の気圧が外よりも低くなることにより、接顔部３Ａのフィルタ部２Ａの外周縁部２１Ａより外側に突出した部分が顔面に密着するため、フェイスフィット性が高くなりマスク１Ａのフィルタ部２Ａの外周縁部２１Ａからの空気の吸い込みを防止することができる。そして、略全部の吸気がフィルタ部２Ａを介して行われるため大気中を浮遊する塵、ウイルス等をフィルタ部２Ａで捕集して、吸い込まないようにすることができる。また、図７（ｂ）に参照するように呼気時には、フィルタ部２Ａの内の気圧が外よりも高くなるため、接顔部３Ａと顔面との当接が弱まって接顔部３Ａと顔面との隙間、すなわち、フィルタ部２Ａ以外からも空気を排出することができ、呼気の際の排出性を高めることができる。また、フィルタ部２Ａの呼気による吸湿を防止することができる。よって、呼吸が苦しくならないため長時間の装着が可能となる。
【００３５】
また、吸気の際、接顔部３Ａがメルトブロー不織布又はパラレルスパンレース不織布で形成されているので、顔面に当接してフェイスフィット性を高めるとともに、接顔部３Ａを空気が通過して塵、ウイルス等を捕集することとなる。接顔部３Ａを、一層追加されたメルトブロー不織布又はパラレルスパンレース不織布と一体に形成することで、フィルタ部２Ａの形成と接顔部３Ａの接合とを一工程でできるので、製造時間を短縮することができる。
【００３６】
表１に、接顔部３又は３Ａを、メルトブロー不織布及びスパンレース不織布で形成した時の、吸気時の外気の侵入率の比較検査の結果を示す。既存品と比べるとスパンレース不織布を使用すると吸気時の外気の侵入率が平均で４．２２％となり、既存品を１として比較すると外気の侵入防止性能が８．３５倍向上し、メルトブロー不織布を使用すると吸気時の外気の侵入率が平均で３．６７％となり、既存品を１として比較すると外気の侵入防止性能が８．５６倍向上していることがわかる。
【００３７】
特に、接顔部３又は３Ａを帯電メルトブロー不織布で形成した時は、塵、ウイルス等の捕集性能が静電気の力で高まるため、吸気時の外気の侵入率が平均で１．８８％となり、既存品を１として比較すると外気の侵入防止性能が９．２６倍向上していることがわかる。
【００３８】
また、フィルタ部２に使用する部材は、ニードルパンチ不織布、メルトブロー不織布、を用いたが、上述した実施形態には、こだわらない。塵、ウイルス等を捕集できる他の製法による不織布を用いることができる。
【００３９】
また、接顔部３をフィルタ部２の外壁面に接合してもよい。
【００４０】
【表１】
0003158500.tif 000003
【符号の説明】
【００４１】
１  マスク
２  フィルタ部
３  接顔部
４  取付紐
７  第一層
８  第二層
９  第三層
１０  第四層
２１  外周縁部
３１  外側縁部
【図１】
0003158500.tif 000004
【図２】
0003158500.tif 000005
【図３】
0003158500.tif 000006
【図４】
0003158500.tif 000007
【図５】
0003158500.tif 000008
【図６】
0003158500.tif 000009
【図７】
0003158500.tif 000010
【図８】
0003158500.tif 000011